(57)【要約】【課題】器具内におけるＬＥＤの配置の自由度を向上することができ、見栄えのよい、部屋に対して均一な配光を行うことができる照明器具を提供する。【解決手段】照明器具１０は、主照明ランプ１６と、主照明ランプ１６の点灯制御を行う点灯回路１３と、主照明ランプ１６の光を拡散するセード１７と、器具中心から主照明ランプ１６の外径までの間に配置されたＬＥＤ１４と、導光拡散部材１８と、を備え、導光拡散部材１８はＬＥＤ１４の近傍から主照明ランプ１６の影とならない位置までを繋ぐように配置されている。【選択図】図１
2010186706.tif 000002
【特許請求の範囲】
【請求項１】
主照明ランプと、
前記主照明ランプの点灯制御を行う点灯回路と、
前記主照明ランプの光を拡散するセードと、
器具中心から前記主照明ランプの外径までの間に配置されたＬＥＤと、
導光拡散部材と、
を備えた照明器具であって、
前記導光拡散部材は、前記ＬＥＤの近傍から前記主照明ランプの影とならない位置までを繋ぐように配置されていることを特徴とする照明器具。
【請求項２】
前記導光拡散部材は、前記主照明ランプを保持することを特徴とする請求項１に記載した照明器具。
【請求項３】
前記ＬＥＤは、前記点灯回路を構成する電子部品と共通同一の回路基板上に実装されていることを特徴とする請求項１または２に記載した照明器具。
【請求項４】
前記主照明ランプは、平面螺旋状放電灯であることを特徴とする請求項１〜３のいずれか１項に記載した照明器具。
【請求項５】
前記ＬＥＤは、単一または複数であることを特徴とする請求項１〜４のいずれか１項に記載した照明器具。
【発明の詳細な説明】
【技術分野】
【０００１】
本発明は、例えば天井面に直接取り付けられる直付型の照明器具に関し、特に常夜灯を装備した照明器具に関する。
【背景技術】
【０００２】
本発明者らは、家庭用の照明器具が消灯時にも明るさを確保するために備えられる常夜灯として、近年、所謂豆球と称されるナツメ球の代替手段にＬＥＤ（発光ダイオード）を用いる照明器具を既に提案している（例えば、特許文献１参照）。
【０００３】
特許文献１に開示された照明器具では、環状放電灯のソケットと器具中心とを結ぶ直線上に受光ユニットと複数個の常夜灯用のＬＥＤを設置し、それらを取り囲む包囲部材を配置している。
【０００４】
常夜灯を装備する照明器具の他の一例として、常夜灯の設置場所について、点灯時の有効照射範囲内に影を生じないような位置に常夜灯を設置したものがある（例えば、特許文献２参照）。
【０００５】
特許文献２に開示された照明器具では、器具本体と、器具本体に装着される環状蛍光ランプと、器具本体に装着され環状蛍光ランプを覆うセードと、照明器具を遠隔制御するリモコン受信部ユニット等で構成されており、器具本体を天井面に直接当接することで取り付けられる。
【０００６】
器具本体の平面視における中央部には、取付用孔が形成されている。そして、天井面に固設されるローゼットやシーリング等の配線器具に装着された取り付けアダプタに、この取付用孔を嵌装することで、器具本体が天井面に取り付けられる。
【０００７】
器具本体の下面部には、複数の環状蛍光ランプが取り付けられ、環状蛍光ランプは、セードにより下方から覆われている。セードは下に凸の略球面形状に形成されており、器具本体側に固設されるセード固定具により器具本体に取り付けられている。
【０００８】
また、器具本体には、取り付けアダブタが嵌装される取付用孔を跨いでリモコン用ブラケットが取り付けられており、リモコン用ブラケットの下面に、リモコン受信部ユニットが装着されている。リモコン受信部ユニットには受光センサが設けられ、リモコン送信器からの光を受光センサが受光することで、照明器具が遠隔制御される。
【０００９】
このように器具本体の平面視における略中央部に、照明器具の取付装置である取り付けアダプタが配置され、取り付けアダプタの下方に位置するリモコン用ブラケットにリモコン受信部ユニットが装着されており、リモコン受信部ユニットの下部は、環状蛍光ランプの最下端部よりも下方に位置している。また、リモコン受信部ユニットには、常夜灯が設けられている。常夜灯はＬＥＤにより構成され、リモコン受信部ユニットの下面部に配置されており、常夜灯の点灯時において、常夜灯の有効照射範囲内に生じる影の面積を５％よりも小さくすることができる。
【００１０】
常夜灯を装備する照明器具のさらに他の一例として、配線器具に装着されるアダプタに常夜灯およびリモコン受光部を内蔵したものがある（例えば、特許文献３参照）。
【００１１】
特許文献３に開示された照明器具では、天井面に設置された引掛シーリングボディに取付アダプタを嵌合することにより、天井面に取り付ける（直付けする）。すなわち、まず、引掛シーリングボディに取付アダプタを嵌合して固定し、次に、照明器具本体を取付アダプタに固定する。照明器具本体には取付穴があり、引掛シーリングボディに嵌合した取付アダプタを取付穴に通すと、取付穴周辺にある取付部が取付アダプタと係合して、照明器具本体が固定される。その後、配線を接続し、放電灯を取り付けたのち、カバーを取り付ける。これにより、照明器具を天井面に取り付ける。
【００１２】
照明器具は、正面（天井面に取り付けたとき下側になる面）から見ると、ほぼ円形であり、取付穴はほぼ中央に位置する。したがって、取付アダプタは、照明器具本体のほぼ中央に位置する。また、放電灯が環状蛍光灯である場合、放電灯の中心軸は、照明器具の中心とほぼ一致する位置に取り付ける。このため、カバーを外した状態で、照明器具（照明器具本体）を正面から見ると、放電灯などに遮られることなく、取付アダプタを視認することができる。このように、ＬＥＤの光の照射範囲は放電灯などに遮られず、見栄えに優れ、部屋に対して均一な配光を行える。
【先行技術文献】
【特許文献】
【００１３】
【特許文献１】特開２００８−９８１１６号公報（図１、００３１，００３２段落）
【特許文献２】特開２００３−２４２８０８号公報（図４、請求項１）
【特許文献３】特開２００８−２６２８６１号公報（図２、００１４段落）
【発明の概要】
【発明が解決しようとする課題】
【００１４】
ところが、上記特許文献１、２、３に開示された照明器具では、光源である常夜灯ＬＥＤを、照射範囲内に環状ランプが存在せずに影が発生しない位置、つまり、器具中央に配置しなければならないという限定条件とも言い換えられる。そのため、配置の自由度を低下させてしまうという問題があった。
【００１５】
また、近年、主照明ランプとして、例えば２重渦巻状に旋回された発光管のような平面光源ランプの使用も提案されている。このようなランプを用いた場合、上記特許文献１、２、３のようにランプ内側への常夜灯ＬＥＤの配置が困難であることが容易に推測できる。仮に、上記特許文献のように常夜灯ＬＥＤを主照明ランプの内側に配置する場合、常夜灯ＬＥＤは主照明ランプに隠れて影となってしまうため、照射光の形が歪になったり、常夜灯として十分な光量を確保できなくなったり、といった問題が生じるからである。これとは逆に、ランプの外側に常夜灯を配置する場合は、器具の大型化が新たな課題として発生する。また、器具の外側では中央と比べて反射板−セード間の距離が短い。すなわち、常夜灯ＬＥＤ−セード間の距離も同様に短いため、セードによる光の拡散が十分に行われずにＬＥＤの粒子感が強く出てしまう虞もある。
【００１６】
本発明は、前述した課題を解決するためになされたものであり、その目的は、器具内におけるＬＥＤの配置の自由度を向上することができ、見栄えのよい、部屋に対して均一な配光を行うことができる照明器具を提供することにある。
【課題を解決するための手段】
【００１７】
本発明に係る照明器具は、主照明ランプと、前記主照明ランプの点灯制御を行う点灯回路と、前記主照明ランプの光を拡散するセードと、器具中心から前記主照明ランプの外径までの間に配置されたＬＥＤと、導光拡散部材と、を備えた照明器具であって、前記導光拡散部材は、前記ＬＥＤの近傍から前記主照明ランプの影とならない位置までを繋ぐように配置されていることを特徴とする。
【００１８】
本発明においては、主照明ランプ直上、もしくは主照明ランプの内側に実装されているＬＥＤの近傍に導光拡散部材を配置し、導光拡散部材によりＬＥＤから発せられる光を主照明ランプ下側にまで導光して拡散させる。
【００１９】
これにより、器具内におけるＬＥＤの配置場所と主照明ランプとの位置関係に影響されずに、光の欠落がなく見栄えのよい常夜灯照射を行うことができる。
従って、器具内におけるＬＥＤの配置の自由度を向上することができ、見栄えのよい、部屋に対して均一な配光を行うことができる。
【００２０】
本発明に係る照明器具は、上記照明器具において、前記導光拡散部材は、前記主照明ランプを保持することを特徴とする。
【００２１】
本発明においては、導光拡散部材が主照明ランプを保持する形状であれば、導光拡散部材により主照明ランプの支持のためのランプ支持バネと同等の機能を果たすことができる。
【００２２】
従って、製品の安全性を高めることができる。また、逆にランプ支持バネの代替品として用いることにより軽量化を図ることができるとともにコスト削減の効果を狙うこともできる。
【００２３】
本発明に係る照明器具は、上記照明器具において、前記ＬＥＤは、前記点灯回路を構成する電子部品と共通同一の回路基板上に実装されていることを特徴とする。
【００２４】
本発明においては、点灯回路を構成する電子部品と共通同一の回路基坂上にＬＥＤを実装することにより、ＬＥＤの実装位置が制限されない。
従って、ＬＥＤの配置自由度を上げることができるとともに、点灯回路を構成する電子部品の実装自由度も上げることができる。また、従来のように別置のＬＥＤ点灯手段との接続手段を設けなくてもよくなるために、部品点数の削減および組立工数の削減を図ることができる。
【００２５】
本発明に係る照明器具は、上記照明器具において、前記主照明ランプは、平面螺旋状放電灯であることを特徴とする。
【００２６】
本発明においては、主照明ランプに平面螺旋状放電灯を適用した場合、従来の構造ではランプ内側にＬＥＤを配置できないことを可能にすることができ、見栄えのよい照射を行うことができる。
【００２７】
本発明に係る照明器具は、上記照明器具において、前記ＬＥＤは、単一または複数であることを特徴とする。
【００２８】
本発明においては、指向性の強い単一のＬＥＤまたは複数のＬＥＤを適用したとしても、導光拡散部材によりＬＥＤの粒子感を解消して見栄えのよい照射を行うことができる。
【発明の効果】
【００２９】
本発明の照明器具によれば、主照明ランプと、主照明ランプの点灯制御を行う点灯回路と、主照明ランプの光を拡散するセードと、器具中心から主照明ランプの外径までの間に配置されたＬＥＤと、導光拡散部材と、を備え、導光拡散部材は、ＬＥＤの近傍から主照明ランプの影とならない位置までを繋ぐように配置されている。
これにより、器具内におけるＬＥＤの配置の自由度を向上することができ、見栄えのよい、部屋に対して均一な配光を行うことができるという効果を有する。
【図面の簡単な説明】
【００３０】
【図１】本発明に係る第１実施形態の照明器具の垂直断面図
【図２】図１の照明器具の平面螺旋状放電灯周りの底面図
【図３】本発明に係る第２実施形態の照明器具の垂直断面図
【図４】図３の照明器具の底面図
【図５】本発明に係る第３実施形態の照明器具の垂直断面図
【発明を実施するための形態】
【００３１】
以下、本発明の複数の実施形態に係る照明器具について図面を参照して説明する。なお、以下の記載はあくまで本発明に基づいて採択された例示的な実施形態であり、本発明をその実施形態に特有な事煩に基づいて限定解釈してはならず、本発明の技術的範囲は、特許請求の範囲の各請求項に示した事項、更にはその事項と実質的に等価である事項に基づいて定めなければならない。
【００３２】
（第１実施形態）
図１に示すように、本発明の第１実施形態である照明器具１０は、器具本体１１と、取付アダプタ１２と、点灯回路１３と、常夜灯ＬＥＤ１４と、反射板１５と、主照明ランプである平面螺旋状放電灯１６と、平面螺旋状放電灯１６を覆うセード１７と、導光拡散部材１８と、不図示の点灯回路１３を遠隔制御するためのリモコン受信部ユニットと、を備えて取付アダプタ１２により天井面１に直接取り付けられる。
【００３３】
器具本体１１は例えば金属製の板部材等を用いて円形の箱形状に形成されている。器具本体１１は中央部の上部に取付アダプタ１２を取り付けている。
【００３４】
点灯回路１３および常夜灯ＬＥＤ１４は器具本体１１内に収容されている。点灯回路１３および常夜灯ＬＥＤ１４は共通同一の回路基板１９上に実装されている。
【００３５】
常夜灯ＬＥＤ１４は、点灯回路１３を構成する電子部品と共通同一の回路基坂１９上に実装されることにより実装位置が制限されない。
従って、常夜灯ＬＥＤ１４の配置自由度を上げることができるとともに、点灯回路１３を構成する電子部品の実装自由度も上げることができる。また、従来のように別置のＬＥＤ点灯手段との接続手段を設けなくてもよくなるために、部品点数の削減および組立工数の削減を図ることができる。
【００３６】
常夜灯ＬＥＤ１４は単一であって例えば白色の高輝度ＬＥＤであり、器具本体１１の中央部に配置されている。
【００３７】
常夜灯ＬＥＤ１４の周りには包囲部材２０が組み付けられている。包囲部材２０は遮光性を有する樹脂材料や金属材料により円筒形状に形成されている。
【００３８】
反射板１５は器具本体１１と同様の外径を有する円板形状に形成されている。反射板１５は中央部に常夜灯用開口部２１を形成しており、常夜灯開口部２１の縁部に導光拡散部材固定部２２を形成している。
【００３９】
反射板１５は、その下面に複数のランプ支持バネ２３を固定している。ランプ支持バネ２３に平面螺旋状放電灯１６を装着することにより平面螺旋状放電灯１６を吊下げ支持している。
【００４０】
平面螺旋状放電灯１６は２重渦巻状に旋回された発光管である。平面螺旋状放電灯１６に光はセード１７により拡散されて下方へ向けて照射される。
【００４１】
導光拡散部材１８は、例えば透明の樹脂材料を用いて所定の厚みを有し、反射板１５の常夜灯用開口部２１の内径よりもわずかに小さい外形の垂直断面視コ字形状に形成されている。
【００４２】
導光拡散部材１８は、反射板１５から平面螺旋状放電灯１６の下側までの高さ寸法Ｌ１を有し、その側部に一対の側面導光部２４を有し、その底部に底面導光部２５を連続して有する。
【００４３】
導光拡散部材１８は、側面導光部２４の上端部に一対の反射板固定用突部２６を有する。側面導光部２４および底面導光部２５は、それらの内面や外面に複数の凹凸形状をなす拡散ステップを形成しても良い。
【００４４】
導光拡散部材１８は、取付けに際し、下方から、一対の側面導光部２４を平面螺旋状放電灯１６の中央部に配置されている中央放電部２７に被せていく。そして、包囲部材２０の内側であって反射板１５の常夜灯開口部２１に有する導光拡散部材固定部２２に反射板固定用突部２６をそれぞれ嵌め付けることにより反射板１５に固定される。
【００４５】
図２に示すように、導光拡散部材１８は平面螺旋状放電灯１６の中央部の中央放電部２７を保持している。
これにより、導光拡散部材１８により平面螺旋状放電灯１６の支持のためのランプ支持バネ２３と同等の機能を果たすことができる。
【００４６】
従って、製品の安全性を高めることができる。また、導光拡散部材１８をランプ支持バネ２３の代替品として用いることにより照明器具１０の全体の軽量化を図ることができるとともにコスト削減を図ることもできる。
【００４７】
このような照明器具１０は、不図示のリモコン送信部からリモコン受信部ユニットに主照明ランプ点灯信号を送信することにより、点灯回路１３が駆動して平面螺旋状放電灯１６を点灯する。
【００４８】
そして、就寝時等にリモコン送信部からリモコン受信部ユニットに常夜灯点灯信号を送信することにより、点灯回路１３が駆動して常夜灯ＬＥＤ１４を発光させる。
【００４９】
常夜灯ＬＥＤ１４が発光すると、その発光光は包囲部材２０に遮られて側方には進行せずに、導光拡散部材１８の一対の側面導光部２４の端部から側面導光部２４に入射される。
【００５０】
側面導光部２４に入射された常夜灯ＬＥＤ１４の発光光は底面導光部２５内に導光され、平面螺旋状放電灯１６の中央部の中央放電部２７の下側から下方に向けて拡散されて照射される。
【００５１】
従って、器具内における常夜灯ＬＥＤ１４の配置場所と平面螺旋状放電灯１６との位置関係に影響されずに、光の欠落がなく見栄えのよい常夜灯ＬＥＤ１４による照射を行うことができる。
また、導光拡散部材１８は、指向性の強い単一の常夜灯ＬＥＤ１４を用いても、常夜灯ＬＥＤ１４の粒子感を解消して見栄えのよい照射を行う。
【００５２】
第１実施形態の照明器具１０では、平面螺旋状放電灯１６の内側に実装されている常夜灯ＬＥＤ１４の近傍に導光拡散部材１８を配置し、導光拡散部材１８により常夜灯ＬＥＤ１４から発せられる光を平面螺旋状放電灯１６の下側にまで導光して拡散させる。
【００５３】
これにより、器具内における常夜灯ＬＥＤ１４の配置場所と平面螺旋状放電灯１６との位置関係に影響されずに、光の欠落がなく見栄えのよい常夜灯照射を行うことができる。
従って、器具内における常夜灯ＬＥＤ１４の配置の自由度を向上することができ、見栄えのよい、部屋に対して均一な配光を行うことができる。
【００５４】
第１実施形態の照明器具１０では、導光拡散部材１８により平面螺旋状放電灯１６を保持するために、導光拡散部材１８により平面螺旋状放電灯１６の支持のためのランプ支持バネ２３と同等の機能を果たすことができる。
【００５５】
従って、製品の安全性を高めることができる。また、逆にランプ支持バネ２３の代替品として用いることにより軽量化を図ることができるとともにコスト削減の効果を狙うこともできる。
【００５６】
第１実施形態の照明器具１０では、点灯回路１３を構成する電子部品と共通同一の回路基坂１９上に常夜灯ＬＥＤ１４を実装することにより、常夜灯ＬＥＤ１４の実装位置が制限されない。
【００５７】
従って、常夜灯ＬＥＤ１４の配置自由度を上げることができるとともに、点灯回路１３を構成する電子部品の実装自由度も上げることができる。また、従来のように別置のＬＥＤ点灯手段との接続手段を設けなくてもよくなるために、部品点数の削減および組立工数の削減を図ることができる。
【００５８】
第１実施形態の照明器具１０では、主照明ランプに平面螺旋状放電灯１６を適用したために、従来の構造ではランプ内側にＬＥＤを配置できないことを可能にすることができ、見栄えのよい照射を行うことができる。
【００５９】
第１実施形態の照明器具１０では、指向性の強い単一の常夜灯ＬＥＤ１４を適用したとしても、導光拡散部材１８により常夜灯ＬＥＤ１４の粒子感を解消して見栄えのよい照射を行うことができる。
【００６０】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００６１】
図３、図４に示すように、本発明の第２実施形態の照明器具３０は、主照明ランプとして一対の環状放電灯３１，３２を適用している。
【００６２】
器具本体１１の側部に複数の２個の高輝度ＬＥＤである常夜灯ＬＥＤ３３，３３をそれぞれ配置している。導光拡散部材３４は環状放電灯３１，３３の一部を保持しており、反射板１５の側部に組み付けられている。
【００６３】
第２実施形態の照明器具３０では、第１実施形態と同様の作用効果を奏する。特に第２実施形態では、従来から用いられている環状放電灯３１，３３を適用しているものの、常夜灯ＬＥＤ３３，３３を器具中央に配置せずに環状放電灯３１，３３の一部のようにして照射を行うことができる。
従って、光の演出を行うことができる。
【００６４】
（第３実施形態）
次に、本発明の第３実施形態の照明器具について説明する。
【００６５】
図５に示すように、本発明の第２実施形態の照明器具４０は、主照明ランプとして環状放電灯４１を適用している。
【００６６】
器具本体１１の側部に単一の高輝度ＬＥＤである常夜灯ＬＥＤ４２を配置している。
【００６７】
導光拡散部材４３は、包囲部材２０の下部から器具中央付近までの長さＬ２を有する導光部４４を備え、その下面および側面を遮光ガイド４５により被覆されている。そして、導光拡散部材４３は、器具中央部に出射レンズ部４６を有する。
【００６８】
照明器具４０は、就寝時等にリモコン送信部からリモコン受信部ユニットに常夜灯点灯信号を送信することにより、点灯回路１３が駆動して常夜灯ＬＥＤ４２を発光させる。
【００６９】
常夜灯ＬＥＤ４２が発光すると、その発光光は包囲部材２０に遮られて側方には進行せずに、導光拡散部材４３の導光部４４に入射され、導光部４４から器具中央部に導光された後に、出射レンズ部４６から下方に向けて拡散されて照射を行う。
【００７０】
第３実施形態の照明器具４０では、第１実施形態と同様の作用効果を奏する。特に第３実施形態では、出射レンズ部４６の光学的特性を変更させることにより、下方に向けて拡散させる角度を任意に設定できる。
従って、光の照射角度を任意に設定することができる。
【００７１】
なお、前記各実施形態で使用した器具本体１１、取付アダプタ１２、点灯回路１３、反射板１５、ランプ支持バネ２３等は例示したものに限定するものではなく適宜変更が可能である。
【符号の説明】
【００７２】
１０、３０、４０  照明器具
１３  点灯回路
１４  常夜灯ＬＥＤ（ＬＥＤ）
１６  平面螺旋状放電灯（主照明ランプ）
１７  セード
１８、３４，４３  導光拡散部材
１９  回路基板
３１、３２、４１  環状放電灯（主照明ランプ）
【図１】
2010186706.tif 000003
【図２】
2010186706.tif 000004
【図３】
2010186706.tif 000005
【図４】
2010186706.tif 000006
【図５】
2010186706.tif 000007